(57)【要約】  組立式折り畳みオーバーヘッドドアユニットは、一対の対向し、垂直に配置され、その間でドア開口部を規定するサイド支持案内手段を含み、各々のサイド支持案内手段は、並んで配置された第１溝と第２溝とを含み、組立式折り畳みオーバーヘッドドアユニットは、前記サイド支持案内手段に沿った折り畳みの上下移動に適した、長方形の第１パネルと長方形の第２パネルと長方形の第３パネルと長方形の第４パネルとを含むドア部材を含み、ドア部材は、更に、第１パネルと第２パネルの各々の側部に折り畳み動作制御部材を含み、各々の折り畳み動作制御部材は、第１パネルと第３パネルのそれぞれに、それぞれの側部エッジにヒンジ的に接続された、折り畳み動作制御部材上端と、折り畳み動作制御部材ヒンジ軸の周囲で、それぞれの案内プレート下端にヒンジ的に接続された、折り畳み動作制御部材下端とを有し、各々の折り畳み動作制御部材は、更に、折り畳み動作案内溝を含み、第２パネルに取り付けられたサイドプレートのそれぞれのサイドプレート案内ピンは、折り畳み動作案内溝の中へ伸びる。【選択図】図２Ａ
2019525043.tif 000002
【特許請求の範囲】
【請求項１】
組立式折り畳みオーバーヘッドドアユニットであって、
一対の対向し、垂直に配置され、その間でドア開口部を規定するサイド支持案内手段を含み、
各々の前記サイド支持案内手段は、並んで配置された第１溝と第２溝とを含み、
前記第１溝は、ドア開口部の高さに垂直に伸びる第１溝主要部を有し、
前記第２溝は、垂直に伸びる第２溝主要部と、前記組立式折り畳みオーバーヘッドドアユニットの上部の第２溝湾曲部とを有し、
前記第２溝湾曲部は、前記第２溝主要部に接続しており、
前記組立式折り畳みオーバーヘッドドアユニットは、複数のパネルを含むドア部材を含み、
前記パネルは、前記ドア開口部を閉じるために前記パネルが同一平面上で直立して整列した閉位置から、前記パネルが前記組立式折り畳みオーバーヘッドドアユニットの上部で水平位置に折り畳まれて水平に１つが他の上部に積み重ねられる、前記ドア開口部を通してのアクセスを可能とするアクセス位置までの、前記サイド支持案内手段に沿った折り畳みの上下移動に適した長方形パネルであって、
各々の前記パネルは、上部の水平エッジと、下部の水平エッジと、２つの側部エッジとを有し、
前記ドア部材は、更に、前記複数のパネルのうち隣接したパネルの前記水平エッジをアコーディオンのように一緒に接続する複数の水平なヒンジ手段を含み、
各々の前記ヒンジ手段は、水平ヒンジ軸を規定し、
前記パネルは、前記閉位置では、対向する前記サイド支持案内手段の前記第１溝の間で広がり、
前記複数のパネルは、少なくとも、第１パネルと、前記第１パネルに前記水平なヒンジ手段によって接続された第２パネルとを含み、
前記第２溝は、更に、前記第２溝湾曲部に接続された、水平に伸びる第２溝端部を有し、
前記第２溝は、少なくともおおむね前記ドア開口部の高さに伸び、
前記第１パネルは、前記第１パネルの各々の前記側部エッジの上部近傍に、前記第１パネルから離れてそれぞれの前記第２溝の中へ伸びている第１案内ピンのような、前記サイド支持案内手段で前記第１パネルを案内し支持するための装置を備え、
前記案内し支持するための装置は、更に、前記ドア部材の下方のパネルの折り畳み動作を開始する操作のために配置されており、
前記第２パネルは、前記第２パネルの前記側部エッジの各々に、前記第２パネルのサイドプレートを備え、
前記第２パネルの各々の前記サイドプレートは、前記第２パネルのそれぞれの前記側部エッジに固定的に接続され、前記第２パネルの前記側部エッジの方向に平行な方向に伸び、
前記第２パネルの各々の前記サイドプレートは、前記第２パネルの前記側部エッジの範囲を超えて伸びるサイドプレート上方第１端と、サイドプレート対向第２端とを有し、
各々の前記サイドプレート上方第１端は、前記第２パネルの前記サイドプレートから離れる方向に伸びる水平なサイドプレート・ヒンジピンを備え、
各々の前記サイドプレート対向第２端は、サイドプレート案内ピンを備え、
前記サイドプレート・ヒンジピンは、前記第１パネルと前記第２パネルとを接続している前記ヒンジ手段の前記水平ヒンジ軸と少なくともおおむね同軸のサイドプレート・ヒンジピン軸を規定し、
前記第２パネルは、更に、前記第２パネルの側部エッジの各々に、前記第２パネルの案内プレートを備え、
前記第２パネルの各々の前記案内プレートは、案内プレート上端と、対向する案内プレート下端とを有し、
各々の前記案内プレート上端は、前記第２パネルの前記案内プレートから離れる方向に前記第１溝の中へ伸びる第２案内ピンを備え、
各々の前記案内プレート下端は、前記第２パネルの前記案内プレートから離れる方向に前記第２溝の中へ伸び、かつ第３案内ピン軸を規定する第３案内ピンを備え、
前記第２パネルの前記サイドプレートの前記サイドプレート・ヒンジピンは、前記案内プレート上端にヒンジ的に接続されており、
前記ドア部材は、更に、前記第１パネルと前記第２パネルとの各々の側部に、折り畳み動作制御部材を含み、
各々の前記折り畳み動作制御部材は、
前記第１パネルのそれぞれの前記側部エッジにヒンジ的に接続された、折り畳み動作制御部材上端と、
折り畳み動作制御部材ヒンジ軸の周囲で、それぞれの前記案内プレート下端にヒンジ的に接続された、折り畳み動作制御部材下端と、
を有し、
各々の前記折り畳み動作制御部材は、更に、折り畳み動作案内溝を含み、
前記第２パネルの前記サイドプレートのそれぞれの前記サイドプレート案内ピンは、前記折り畳み動作案内溝の中へ伸びる、
組立式折り畳みオーバーヘッドドアユニット。
【請求項２】
前記折り畳み動作案内溝は、少なくとも部分的に、前記第２パネルの前記サイドプレートのそれぞれの前記サイドプレート案内ピンと、前記第１パネルと前記第２パネルを接続するそれぞれの前記ヒンジ手段の前記水平ヒンジ軸との間の距離と等しい半径の円形部分を有する請求項１に記載の組立式折り畳みオーバーヘッドドアユニット。
【請求項３】
前記ドア部材は、更に、前記水平なヒンジ手段によって前記第２パネルに接続された第３パネルと、前記水平なヒンジ手段によって前記第３パネルに接続された第４パネルとを含み、
前記第４パネルは、前記第４パネルの側部エッジの各々に、前記第４パネルのサイドプレートを備え、
前記第４パネルの各々の前記サイドプレートは、前記第４パネルのそれぞれの前記側部エッジに固定的に接続され、前記第４パネルの前記側部エッジの方向と平行な方向に伸びており、
前記第４パネルの各々の前記サイドプレートは、前記第４パネルの前記側部エッジの範囲を超えて伸びるサイドプレート上方第１端と、サイドプレート対向第２端とを有し、
各々の前記サイドプレート上方第１端は、前記第４パネルの前記サイドプレートから離れる方向に伸びる水平なサイドプレート・ヒンジピンを備え、
各々の前記サイドプレート対向第２端は、サイドプレート案内ピンを備え、
前記サイドプレート・ヒンジピンは、前記第３パネルと前記第４パネルとを接続している前記ヒンジ手段の前記水平ヒンジ軸と少なくともおおむね同軸のサイドプレート・ヒンジピン軸を規定し、
前記第４パネルは、更に、前記第４パネルの前記側部エッジの各々に、前記第４パネルの案内プレートを備え、
前記第４パネルの各々の前記案内プレートは、案内プレート上端と、対向する案内プレート下端とを有し、
各々の前記案内プレート上端は、前記第４パネルの前記案内プレートから離れる方向に前記第１溝の中へ伸びる第４案内ピンを備え、
各々の前記案内プレート下端は、前記第４パネルの前記案内プレートから離れる方向に前記第２溝の中へ伸び、かつ第５案内ピン軸を規定する第５案内ピンを備え、
前記第４パネルの前記サイドプレートの前記サイドプレート・ヒンジピンは、前記案内プレート上端にヒンジ的に接続されており、
前記ドア部材は、更に、前記第３パネルと前記第４パネルとの各々の側部に、第２折り畳み動作制御部材を含み、
各々の前記第２折り畳み動作制御部材は、
前記第３パネルのそれぞれの側部エッジにヒンジ的に接続された、第２折り畳み動作制御部材上端と、
第２折り畳み動作制御部材ヒンジ軸の周囲で、それぞれの前記案内プレート下端にヒンジ的に接続された、第２折り畳み動作制御部材下端と、
を有し、
各々の前記第２折り畳み動作制御部材は、更に、第２折り畳み動作案内溝を含み、
前記第４パネルの前記サイドプレートのそれぞれの前記サイドプレート案内ピンは、前記第２折り畳み動作案内溝の中へ伸びる、
請求項１または２に記載の組立式折り畳みオーバーヘッドドアユニット。
【請求項４】
前記第２折り畳み動作案内溝は、少なくとも部分的に、前記第４パネルの前記サイドプレートのそれぞれの前記サイドプレート案内ピンと、前記第３パネルと前記第４パネルを接続するそれぞれの前記ヒンジ手段の前記水平ヒンジ軸との間の距離と等しい半径の円形部分を有する請求項１に記載の組立式折り畳みオーバーヘッドドアユニット。
【請求項５】
前記案内プレート上端にヒンジ的に接続されている、前記第２パネルの前記サイドプレートの各々のサイドプレート・ヒンジピンは、それぞれの前記第２案内ピンと同じ高さに位置し、
前記案内プレート上端にヒンジ的に接続されている、前記第４パネルの前記サイドプレートの各々のサイドプレート・ヒンジピンは、前記第４案内ピンと同じ高さに位置している、
請求項３または４に記載の組立式折り畳みオーバーヘッドドアユニット。
【請求項６】
前記第２案内ピンと前記第３案内ピンとの間の距離は、前記第２パネルの鉛直高さの５０％から７０％まで、望ましくは第２パネルの鉛直高さの約６０％であって、
前記第４案内ピンと前記第５案内ピンとの間の距離は、前記第４パネルの鉛直高さの５０％から７０％まで、望ましくは前記第４パネルの鉛直高さの約６０％である、
請求項３または４または５に記載の組立式折り畳みオーバーヘッドドアユニット。
【請求項７】
各々の前記折り畳み動作制御部材上端は、スライドピンを含み、
前記第１パネルの各々の前記側部エッジは、縦スロットを備え、
それぞれの前記スライドピンは、前記縦スロットの中へ伸びる、
請求項１ないし６のいずれか一項に記載の組立式折り畳みオーバーヘッドドアユニット。
【請求項８】
各々の前記第２折り畳み動作制御部材上端は、第２スライドピンを含み、
前記第３パネルの各々の前記側部エッジは、第２縦スロットを備え、
それぞれの前記第２スライドピンは、前記第２縦スロットの中へ伸びる、
請求項３または請求項３に従属する場合の請求項４ないし７のいずれか一項に記載の組立式折り畳みオーバーヘッドドアユニット。
【請求項９】
各々の前記縦スロットは、前記第１パネルのそれぞれの前記側部エッジに取り付けられた第１パネル・サイドプレートに備えられる請求項７に記載の組立式折り畳みオーバーヘッドドアユニット。
【請求項１０】
各々の前記第２縦スロットは、前記第３パネルのそれぞれの前記側部エッジに取り付けられた第３パネル・サイドプレートに備えられる請求項８に記載の組立式折り畳みオーバーヘッドドアユニット。
【請求項１１】
一対の対向し、垂直に配置されたサイド支持案内手段は、支持びょう又は支持スロットのような支持部材を含み、
前記第２パネルの前記側部エッジの前記範囲を超えて伸びる、前記第２パネルの各々の前記サイドプレート上方第１端は、第１傾斜面を有し、
及び／又は、前記第４パネルの前記側部エッジの前記範囲を超えて伸びる、前記第４パネルの各々の前記サイドプレート上方第１端は、第２傾斜面を有し、
前記第１傾斜面と前記第２傾斜面の各々は、前記ドア部材の前記アクセス位置で、それぞれの前記支持部材により支持される、
請求項１ないし１０のいずれか一項に記載の組立式折り畳みオーバーヘッドドアユニット。
【請求項１２】
前記第１案内ピンと前記第２案内ピンと前記第３案内ピンと前記第４案内ピンと前記第５案内ピンのうち少なくとも１つが、その端に、円盤形拡張部、望ましくはローラーを備える請求項１ないし１１のいずれか一項に記載の組立式折り畳みオーバーヘッドドアユニット。
【請求項１３】
前記第２案内ピンは、前記サイドプレートに備えられる第２案内ピン・スロット内に可動に配置され、
ロックばねの一端は前記サイドプレートに固定的に取り付けられ、前記ロックばねの他端は前記案内プレートの前記上端、特に前記第２案内ピンに取り付けられる、
請求項１ないし１２のいずれか一項に記載の組立式折り畳みオーバーヘッドドアユニット。
【請求項１４】
少なくとも１つの前記折り畳み動作案内溝は、前記ドア部材の前記閉位置で、それぞれのサイドプレート案内ピンを受けてロックするために、折り畳み動作制御部材下端近くの端にワイドニングを含む及び／または案内面を含む請求項１３に記載の組立式折り畳みオーバーヘッドドアユニット。
【請求項１５】
組立式折り畳みオーバーヘッドドアユニットであって、
一対の対向し、垂直に配置され、その間でドア開口部を規定するサイド支持案内手段を含み、
各々の前記サイド支持案内手段は、並んで配置された第１溝と第２溝とを含み、
前記組立式折り畳みオーバーヘッドドアユニットは、前記サイド支持案内手段に沿った折り畳みの上下移動に適した、長方形の第１パネルと長方形の第２パネルと長方形の第３パネルと長方形の第４パネルとを含むドア部材を含み、
前記ドア部材は、更に、前記第１パネルと前記第２パネルの各々の側部に折り畳み動作制御部材を含み、
各々の前記折り畳み動作制御部材は、
前記第１パネルと前記第３パネルのそれぞれに、それぞれの前記側部エッジにヒンジ的に接続された、折り畳み動作制御部材上端と、
折り畳み動作制御部材ヒンジ軸の周囲で、それぞれの前記案内プレート下端にヒンジ的に接続された、折り畳み動作制御部材下端と、
を有し、
各々の前記折り畳み動作制御部材は、更に、折り畳み動作案内溝を含み、
前記第２パネルに取り付けられたサイドプレートのそれぞれの前記サイドプレート案内ピンは、前記折り畳み動作案内溝の中へ伸び、
望ましくは、前記折り畳み動作案内溝は、少なくとも部分的に、前記第２パネルの前記サイドプレートのそれぞれの前記サイドプレート案内ピンと、前記第１パネルと前記第２パネルを接続するそれぞれの前記ヒンジ手段の前記水平ヒンジ軸との間の距離と等しい半径の円形部分を有する、
組立式折り畳みオーバーヘッドドアユニット。
【発明の詳細な説明】
【技術分野】
【０００１】
本発明は、
一対の対向し、垂直に配置され、その間でドア開口部を規定するサイド支持案内手段を含み、各々のサイド支持案内手段は、並んで配置された第１溝と第２溝とを含み、第１溝は、ドア開口部の高さに垂直に伸びる第１溝主要部を有し、第２溝は、垂直に伸びる第２溝主要部と、組立式折り畳みオーバーヘッドドアユニットの上部の第２溝湾曲部とを有し、前記第２溝湾曲部は、第２溝主要部に接続しており、
組立式折り畳みオーバーヘッドドアユニットは、複数のパネルを含むドア部材を含み、パネルは、前記ドア開口部を閉じるためにパネルが同一平面上で直立して整列した閉位置から、パネルが組立式折り畳みオーバーヘッドドアユニットの上部で水平位置に折り畳まれて水平に他の上に積み重ねられる、前記ドア開口部を通してのアクセスを可能とするアクセス位置までの、前記サイド支持案内手段に沿った折り畳みの上下移動に適した長方形のパネルであって、各々のパネルは、上部の水平エッジと、下部の水平エッジと、２つの側部エッジとを有し、ドア部材は、更に、複数のパネルのうち隣接したパネルの水平エッジをアコーディオンのように一緒に接続する複数の水平なヒンジ手段を含み、各々のヒンジ手段は、水平ヒンジ軸を規定し、パネルは、前記閉位置では、対向する、前記サイド支持案内手段の第１溝の間で広がり、
複数のパネルは、少なくとも、第１パネルと、第１パネルに水平なヒンジ手段によって接続された第２パネルとを含む
組立式折り畳みオーバーヘッドドアユニットに関する。
【背景技術】
【０００２】
そのような組立式折り畳みオーバーヘッドドアユニットは、例えば、特許文献１で知られる。この既知の組立式折り畳みオーバーヘッドドアユニットは、一対の対向し、垂直に配置され、その間でドア開口部を規定するサイド支持案内手段を含む。各々のサイド支持案内手段は、メイントラックと、メイントラックの上に位置し、メイントラックから分岐する、いくつかのサイドトラックとを含む。この既知の組立式折り畳みオーバーヘッドドアユニットは、複数のパネルを含むドア構成要素を更に含む。パネルのいくつかは、パネルの横の端に固定的に接続されている案内ピンを含み、案内ピンは、各々のトラックまで伸びている。特に、メイントラックから分岐しているサイドトラックは、パネルの折り畳みの動きをコントロールする。この既知の組立式折り畳みオーバーヘッドドアユニットはきちんと機能するが、正しい折り畳みを提供するためには、ドア開口部の一方のメイントラックおよびサイドトラックは、ドア開口部の他方のメイントラックおよびサイドトラックと、ぴったり同じ高さに位置する必要がある。このことには、トラックの非常に正確な取付けが必要となる。さらに、相当な高さの組立式折り畳みオーバーヘッドドアユニットは、すなわち比較的多数のパネルを有するために、対応する多数のメイントラックおよびサイドトラックが必要とされ、トラックの取付けに比較的大きな面積を必要とする。これに加えて、既知の組立式折り畳みオーバーヘッドドアユニットでは、上の位置のパネルが十分に支持されず、その結果、パネルが下がりやすいように見える。
【先行技術文献】
【特許文献】
【０００３】
【特許文献１】国際公開第９６／０９４５７号
【発明の概要】
【発明が解決しようとする課題】
【０００４】
本発明の目的は、ドアパネルの折り畳み動作が代わりの方法で実現される、組立式折り畳みオーバーヘッドドアユニットを提供することである。本発明の目的は、特に、妥当に機能するために、一対の対向し、垂直に配置され、その間でドア開口部を規定するサイド支持案内手段の不整列に、より敏感でない、組立式折り畳みオーバーヘッドドアユニットを提供することである。更に、本発明の目的は、先行技術に関して、比較的多数のパネルに、より少ない溝が必要とされる、組立式折り畳みオーバーヘッドドアユニットを提供することである。更に、本発明の目的は、特に上の位置のパネルが十分に支持され、下がらないか、または下がりにくくなるので、より重いパネルを使用可能な、組立式折り畳みオーバーヘッドドアユニットを提供することである。
【課題を解決するための手段】
【０００５】
本発明によれば、目的の少なくとも１つが、
一対の対向し、垂直に配置され、その間でドア開口部を規定するサイド支持案内手段を含み、各々の前記サイド支持案内手段は、並んで配置された第１溝と第２溝とを含み、前記第１溝は、ドア開口部の高さに垂直に伸びる第１溝主要部を有し、前記第２溝は、垂直に伸びる第２溝主要部と、組立式折り畳みオーバーヘッドドアユニットの上部の第２溝湾曲部とを有し、前記第２溝湾曲部は、前記第２溝主要部に接続しており、
複数のパネルを含むドア部材を含み、
前記パネルは、前記ドア開口部を閉じるために前記パネルが同一平面上で直立して整列した閉位置から、前記パネルが前記組立式折り畳みオーバーヘッドドアユニットの上部で水平位置に折り畳まれて水平に１つが他の上部に積み重ねられる、前記ドア開口部を通してのアクセスを可能とするアクセス位置までの、前記サイド支持案内手段に沿った折り畳みの上下移動に適した長方形パネルであって、各々の前記パネルは、上部の水平エッジと、下部の水平エッジと、２つの側部エッジとを有し、前記ドア部材は、更に、前記複数のパネルのうち隣接したパネルの前記水平エッジをアコーディオンのように一緒に接続する複数の水平なヒンジ手段を含み、各々の前記ヒンジ手段は、水平ヒンジ軸を規定し、前記パネルは、前記閉位置では、対向する前記サイド支持案内手段の前記第１溝の間で広がり、
前記複数のパネルは、少なくとも、第１パネルと、前記第１パネルに前記水平なヒンジ手段によって接続された第２パネルとを含み、
前記第２溝は、更に、前記第２溝湾曲部に接続された、水平に伸びる第２溝端部を有し、前記第２溝は、少なくともおおむね前記ドア開口部の高さに伸び、
前記第１パネルは、前記第１パネルの各々の前記側部エッジの上部近傍に、前記第１パネルから離れてそれぞれの前記第２溝の中へ伸びている第１案内ピンのような、前記サイド支持案内手段で前記第１パネルを案内し支持するための装置を備え、前記案内し支持するための装置は、更に、前記ドア部材の下方のパネルの折り畳み動作を開始する操作のために配置されており、
前記第２パネルは、前記第２パネルの前記側部エッジの各々に、前記第２パネルのサイドプレートを備え、前記第２パネルの各々の前記サイドプレートは、前記第２パネルのそれぞれの前記側部エッジに固定的に接続され、前記第２パネルの前記側部エッジの方向に平行な方向に伸び、前記第２パネルの各々の前記サイドプレートは、前記第２パネルの前記側部エッジの範囲を超えて伸びるサイドプレート上方第１端と、サイドプレート対向第２端とを有し、各々の前記サイドプレート上方第１端は、前記第２パネルの前記サイドプレートから離れる方向に伸びる水平なサイドプレート・ヒンジピンを備え、各々の前記サイドプレート対向第２端は、サイドプレート案内ピンを備え、前記サイドプレート・ヒンジピンは、前記第１パネルと前記第２パネルとを接続している前記ヒンジ手段の前記水平ヒンジ軸と少なくともおおむね同軸のサイドプレート・ヒンジピン軸を規定し、
前記第２パネルは、更に、前記第２パネルの側部エッジの各々に、前記第２パネルの案内プレートを備え、前記第２パネルの各々の前記案内プレートは、案内プレート上端と、対向する案内プレート下端とを有し、各々の前記案内プレート上端は、前記第２パネルの前記案内プレートから離れる方向に前記第１溝の中へ伸びる第２案内ピンを備え、各々の前記案内プレート下端は、前記第２パネルの前記案内プレートから離れる方向に前記第２溝の中へ伸び、かつ第３案内ピン軸を規定する第３案内ピンを備え、前記第２パネルの前記サイドプレートの前記サイドプレート・ヒンジピンは、前記案内プレート上端にヒンジ的に接続されており、
前記ドア部材は、更に、前記第１パネルと前記第２パネルとの各々の側部に、折り畳み動作制御部材を含み、各々の前記折り畳み動作制御部材は、前記第１パネルのそれぞれの前記側部エッジにヒンジ的に接続された、折り畳み動作制御部材上端と、折り畳み動作制御部材ヒンジ軸の周囲で、それぞれの前記案内プレート下端にヒンジ的に接続された、折り畳み動作制御部材下端とを有し、
各々の前記折り畳み動作制御部材は、更に、折り畳み動作案内溝を含み、前記第２パネルの前記サイドプレートのそれぞれの前記サイドプレート案内ピンは、前記折り畳み動作案内溝の中へ伸びる、
組立式折り畳みオーバーヘッドドアユニットによって、得られることである。望ましくは、前記折り畳み動作案内溝は、少なくとも部分的に、前記第２パネルの前記サイドプレートのそれぞれの前記サイドプレート案内ピンと、前記第１パネルと前記第２パネルを接続するそれぞれの前記ヒンジ手段の前記水平ヒンジ軸との間の距離と等しい半径の円形部分を有する。本発明の組立式折り畳みオーバーヘッドドアユニットによって、特に、パネルに接続された折り畳み動作案内溝によって、パネルの折り畳み動作制御部材は、特許文献１で知られるように一対の対向し垂直に配置されたサイド支持案内手段に接続される代わりに、今や、パネルに接続されている。これらの発明の特徴によって、折り畳み動作は、対向し、垂直に配置されたサイド支持案内手段の整列に、より敏感でなくなり、従って、環境の影響に、より敏感でなくなる。更に、サイドプレートと、第２パネルのサイドプレートの各々のサイドプレート案内ピンが中へ伸びる折り畳み動作案内溝を有する案内プレートとの組み合わせが、第１パネル及び第２パネルのための支持機能を提供するので、パネルが後方に傾いていて、それによって折り畳み動作を妨げる危険性なしに、特許文献１で知られる組立式折り畳みオーバーヘッドドアユニットと比べて、より重い第１パネル及び第２パネルを使用可能である。本発明によれば、このように、耐火性パネルまたはガラス製のパネルさえ備える組立式折り畳みオーバーヘッドドアユニットを提供することができる。これに加えて、第２パネルのサイドプレートのサイドプレート案内ピンが折り畳み動作案内溝の中へ伸びているので、溝は案内ピンを囲み、それによってドア部材が閉位置の際のロック機能をパネルに提供する。このロック機能によれば、パネルがタイミング悪く折り畳まれることと、例えば突風により閉位置の際ドア部材が不必要に開がれることとが、防がれる。これに加えて、ロック機能と折り畳みのタイミングが、とりわけ、折り畳み動作案制御部材の各々の案内プレートに対するヒンジ可能な接続により決まるので、折り畳み動作案制御部材ヒンジ軸の位置を調節することによって、ロック機能とタイミングを最適化することができる。
【０００６】
本発明による組立式折り畳みオーバーヘッドドアユニットの更なる実施形態では、前記第２案内ピンは、前記サイドプレートに備えられる第２案内ピン・スロット内に可動に配置されるという点で、そして、ロックばねを備え、前記ロックばねの一端は前記サイドプレートに固定的に取り付けられ、前記ロックばねの他端は前記案内プレートの前記上端、特に前記第２案内ピンに取り付けられるという点で、前記ロック機能が改良される。この方法では、パネルが上げられ、サイドプレート案内ピンがはずされて、折り畳みが継続できるようにロックばねが中で押されるまで、ロックばねは、サイドプレート案内ピンがロック位置に留まるように、案内プレートの下端を下向きに押す。それから、少なくとも１つの前記折り畳み動作案内溝は、前記ドア部材の前記閉位置で、それぞれのサイドプレート案内ピンを受けてロックするために、折り畳み動作制御部材下端近くの端にワイドニングを含む及び／または案内面を含むことが望ましい。
【０００７】
本発明による組立式折り畳みオーバーヘッドドアユニットの実施形態では、前記ドア部材は、更に、前記水平なヒンジ手段によって前記第２パネルに接続された第３パネルと、前記水平なヒンジ手段によって前記第３パネルに接続された第４パネルとを含み、前記第４パネルは、前記第４パネルの側部エッジの各々に、前記第４パネルのサイドプレートを備え、前記第４パネルの各々の前記サイドプレートは、前記第４パネルのそれぞれの前記側部エッジに固定的に接続され、前記第４パネルの前記側部エッジの方向と平行な方向に伸びており、前記第４パネルの各々の前記サイドプレートは、前記第４パネルの前記側部エッジの範囲を超えて伸びるサイドプレート上方第１端と、サイドプレート対向第２端とを有し、各々の前記サイドプレート上方第１端は、前記第４パネルの前記サイドプレートから離れる方向に伸びる水平なサイドプレート・ヒンジピンを備え、各々の前記サイドプレート対向第２端は、サイドプレート案内ピンを備え、前記サイドプレート・ヒンジピンは、前記第３パネルと前記第４パネルとを接続している前記ヒンジ手段の前記水平ヒンジ軸と少なくともおおむね同軸のサイドプレート・ヒンジピン軸を規定し、
前記第４パネルは、更に、前記第４パネルの前記側部エッジの各々に、前記第４パネルの案内プレートを備え、前記第４パネルの各々の前記案内プレートは、案内プレート上端と、対向する案内プレート下端とを有し、各々の前記案内プレート上端は、前記第４パネルの前記案内プレートから離れる方向に前記第１溝の中へ伸びる第４案内ピンを備え、各々の前記案内プレート下端は、前記第４パネルの前記案内プレートから離れる方向に前記第２溝の中へ伸び、かつ第５案内ピン軸を規定する第５案内ピンを備え、前記第４パネルの前記サイドプレートの前記サイドプレート・ヒンジピンは、前記案内プレート上端にヒンジ的に接続されており、
前記ドア部材は、更に、前記第３パネルと前記第４パネルとの各々の側部に、第２折り畳み動作制御部材を含み、各々の前記第２折り畳み動作制御部材は、前記第３パネルのそれぞれの側部エッジにヒンジ的に接続された、第２折り畳み動作制御部材上端と、第２折り畳み動作制御部材ヒンジ軸の周囲で、それぞれの前記案内プレート下端にヒンジ的に接続された、第２折り畳み動作制御部材下端とを有し、各々の前記第２折り畳み動作制御部材は、更に、第２折り畳み動作案内溝を含み、前記第４パネルの前記サイドプレートのそれぞれの前記サイドプレート案内ピンは、前記第２折り畳み動作案内溝の中へ伸びる。望ましくは、前記第２折り畳み動作案内溝は、少なくとも部分的に、前記第４パネルの前記サイドプレートのそれぞれの前記サイドプレート案内ピンと、前記第３パネルと前記第４パネルを接続するそれぞれの前記ヒンジ手段の前記水平ヒンジ軸との間の距離と等しい半径の円形部分を有する。この実施形態では、第３パネル及び第４パネルの折り畳み動作が、第１パネル及び第２パネルの折り畳み動作と同じ方法で引き起こされる。これに加えて、第２パネルと第３パネルを接続するヒンジ手段の結果、閉位置からアクセス位置までを形成するドア部材の折り畳み動作は、第１パネルが水平位置にまで折り畳まれた後にのみ第２パネルと第３パネルとの間の折り畳み動作が開始され、第２パネルが水平位置にまで折り畳まれた後にのみ第３パネルと第４パネルの間の折り畳み動作が開始される。ドア部材が第５パネル及び第６パネルを含む場合、第５パネル及び第６パネルは、それぞれ、第３パネル及び第４パネルなどと同様に構成されることは明らかである。ドア部材が奇数枚のパネルから成る場合、ヒンジ手段で第１パネルに接続されている1枚のパネル（望ましくは上の１つ）は、例えば1つの追加溝を必要とするだけの特許文献１に記載されているのと同じ方法で、支持され案内されうる。
【０００８】
それから、前記案内プレート上端にヒンジ的に接続されている、前記第２パネルの前記サイドプレートの各々のサイドプレート・ヒンジピンは、それぞれの前記第２案内ピンと同じ高さに位置し、前記案内プレート上端にヒンジ的に接続されている、前記第４パネルの前記サイドプレートの各々のサイドプレート・ヒンジピンは、前記第４案内ピンと同じ高さに位置しているとき、簡単で効率的な方法で、正しい折り畳み動作が実現されうる。
【０００９】
本発明による組立式折り畳みオーバーヘッドドアユニットの更なる実施形態では、前記第２案内ピンと前記第３案内ピンとの間の距離は、前記第２パネルの鉛直高さの５０％から７０％まで、望ましくは第２パネルの鉛直高さの約６０％であって、前記第４案内ピンと前記第５案内ピンとの間の距離は、前記第４パネルの鉛直高さの５０％から７０％まで、望ましくは前記第４パネルの鉛直高さの約６０％である。この方法では、比較的かなり重いパネルを使うことができ、なお、組立式折り畳みオーバーヘッドドアユニットの寿命の間、適当な折り畳み動作を提供する。
【００１０】
本発明による組立式折り畳みオーバーヘッドドアユニットの実施形態では、各々の前記折り畳み動作制御部材上端は、スライドピンを含み、前記第１パネルの各々の前記側部エッジは、縦スロットを備え、それぞれの前記スライドピンは、前記縦スロットの中へ伸び、各々の前記第２折り畳み動作制御部材上端は、第２スライドピンを含み、前記第３パネルの各々の前記側部エッジは、第２縦スロットを備え、それぞれの前記第２スライドピンは、前記第２縦スロットの中へ伸びる。これにより、ドア部材のアクセス位置で、それぞれのパネルの水平位置が正確になることが保証される。例えば、耐火性パネルまたはガラス製のパネルが使われる場合に、各々の前記縦スロットは、前記第１パネルのそれぞれの前記側部エッジに取り付けられた第１パネル・サイドプレートに備えられ、各々の前記第２縦スロットは、前記第３パネルのそれぞれの前記側部エッジに取り付けられた第３パネル・サイドプレートに備えられれば、パネル自体にスロットを備える必要がなく、有利になりうる。
【００１１】
水平位置に折り畳まれた際のパネルの重さを支えるために、本発明による実施形態の組立式折り畳みオーバーヘッドドアユニットの一対の対向し、垂直に配置されたサイド支持案内手段は、支持びょう又は支持スロットのような支持部材を含み、前記第２パネルの前記側部エッジの前記範囲を超えて伸びる、前記第２パネルの各々の前記サイドプレート上方第１端は、第１傾斜面を有し、及び／又は、前記第４パネルの前記側部エッジの前記範囲を超えて伸びる、前記第４パネルの各々の前記サイドプレート上方第１端は、第２傾斜面を有し、前記第１傾斜面と前記第２傾斜面の各々は、前記ドア部材の前記アクセス位置で、それぞれの前記支持部材により支持される。望ましくは、前記第１案内ピンと前記第２案内ピンと前記第３案内ピンと前記第４案内ピンと前記第５案内ピンのうち少なくとも１つが、その端に、円盤形拡張部、望ましくはローラーを備える。
【００１２】
本発明の更なる面では、組立式折り畳みオーバーヘッドドアユニットであって、一対の対向し、垂直に配置され、その間でドア開口部を規定するサイド支持案内手段を含み、各々の前記サイド支持案内手段は、並んで配置された第１溝と第２溝とを含み、前記組立式折り畳みオーバーヘッドドアユニットは、前記サイド支持案内手段に沿った折り畳みの上下移動に適した、長方形の第１パネルと長方形の第２パネルと長方形の第３パネルと長方形の第４パネルとを含むドア部材を含み、前記ドア部材は、更に、前記第１パネルと前記第２パネルの各々の側部に折り畳み動作制御部材を含み、  各々の前記折り畳み動作制御部材は、前記第１パネルと前記第３パネルのそれぞれに、それぞれの前記側部エッジにヒンジ的に接続された、折り畳み動作制御部材上端と、折り畳み動作制御部材ヒンジ軸の周囲で、それぞれの前記案内プレート下端にヒンジ的に接続された、折り畳み動作制御部材下端とを有し、各々の前記折り畳み動作制御部材は、更に、折り畳み動作案内溝を含み、前記第２パネルに取り付けられたサイドプレートのそれぞれの前記サイドプレート案内ピンは、前記折り畳み動作案内溝の中へ伸び、望ましくは、前記折り畳み動作案内溝は、少なくとも部分的に、前記第２パネルの前記サイドプレートのそれぞれの前記サイドプレート案内ピンと、前記第１パネルと前記第２パネルを接続するそれぞれの前記ヒンジ手段の前記水平ヒンジ軸との間の距離と等しい半径の円形部分を有する。
【００１３】
本発明による組立式折り畳みオーバーヘッドドアユニットの非限定的で典型的な実施形態が示される図面に関連して、本発明を更に説明する。
【図面の簡単な説明】
【００１４】
【図１Ａ】閉位置での、本発明による組立式折り畳みオーバーヘッドドアユニットの実施形態を模式的に、斜視図で示す。
【図１Ｂ】図１Ａの組立式折り畳みオーバーヘッドドアユニットの案内手段を模式的に、特に、第１溝と、第２溝湾曲部に接続された水平に伸びる第２溝端部を有する第２溝とを更に詳細に表して、斜視図で示す。
【図２Ａ】上方の３つのパネルが水平位置に折り畳まれた位置での、図１Ａによる組立式折り畳みオーバーヘッドドアユニットの実施形態を模式的に、斜視図で示す。
【図２Ｂ】上方の３つのパネルが水平位置に折り畳まれた位置での、図１Ａによる組立式折り畳みオーバーヘッドドアユニットの実施形態を模式的に、右側面図で示す。
【図２Ｃ】上方の３つのパネルが水平位置に折り畳まれた位置での、図１Ａによる組立式折り畳みオーバーヘッドドアユニットの実施形態を模式的に、左側面図で示す。
【図３Ａ】図２による組立式折り畳みオーバーヘッドドアユニットの実施形態を模式的に、特に、水平位置に折り畳まれた第１パネルと第２パネルとを（案内手段なし）、斜視図で示す。
【図３Ｂ】図２による組立式折り畳みオーバーヘッドドアユニットの実施形態を模式的に、特に、水平位置に折り畳まれた第１パネルと第２パネルとを（案内手段なし）、左側面図で示す。
【図４Ａ】整列する（閉）位置での、図１Ａの組立式折り畳みオーバーヘッドドアユニットの第３パネルと第４パネルを、斜視図で示す。
【図４Ｂ】第２パネルが水平位置の方へ折り畳まれている位置での、図１Ａの組立式折り畳みオーバーヘッドドアユニットの第３パネルと第４パネルを、右側面図で示す。
【図４Ｃ】第２パネルが水平位置の方へ折り畳まれている位置での、図１Ａの組立式折り畳みオーバーヘッドドアユニットの第３パネルと第４パネルを、左側面図で示す。
【図４Ｄ】第２パネルが水平位置にある位置での、図１Ａの組立式折り畳みオーバーヘッドドアユニットの第３パネルと第４パネルを、左側面図で示す。
【図５Ａ】図１Ａの組立式折り畳みオーバーヘッドドアユニットの第２パネルのサイドプレートを模式的に、側面図で示す。
【図５Ｂ】図１Ａの組立式折り畳みオーバーヘッドドアユニットの第２パネルのサイドプレートを模式的に、平面図で示す。
【図６Ａ】図１Ａの組立式折り畳みオーバーヘッドドアユニットの第２パネルの案内プレートを模式的に、側面図で示す。
【図６Ｂ】図１Ａの組立式折り畳みオーバーヘッドドアユニットの第２パネルの案内プレートを模式的に、平面図で示す。
【図７Ａ】図１Ａの組立式折り畳みオーバーヘッドドアユニットの第２パネルの折り畳み動作制御部材を模式的に、側面図で示す。
【図７Ｂ】図１Ａの組立式折り畳みオーバーヘッドドアユニットの第２パネルの折り畳み動作制御部材を模式的に、平面図で示す。
【図８】図１Ａの組立式折り畳みオーバーヘッドドアユニットの第１パネル・サイドプレートと第３パネル・サイドプレートを模式的に、平面図で示す。
【図９Ａ】本発明による組立式折り畳みオーバーヘッドドアユニットの、ロックばねを備えたドア部材を、閉位置からアクセス位置まで折り畳む第１ステップを模式的に示す。
【図９Ｂ】本発明による組立式折り畳みオーバーヘッドドアユニットの、ロックばねを備えたドア部材を、閉位置からアクセス位置まで折り畳む第１ステップを模式的に示す。
【図９Ｃ】本発明による組立式折り畳みオーバーヘッドドアユニットの、ロックばねを備えたドア部材を、閉位置からアクセス位置まで折り畳む第１ステップを模式的に示す。
【図９Ｄ】本発明による組立式折り畳みオーバーヘッドドアユニットの、ロックばねを備えたドア部材を、閉位置からアクセス位置まで折り畳む第１ステップを模式的に示す。
【図９Ｅ】本発明による組立式折り畳みオーバーヘッドドアユニットの、ロックばねを備えたドア部材を、閉位置からアクセス位置まで折り畳む第１ステップを模式的に示す。
【発明を実施するための形態】
【００１５】
図１Ａでは、閉位置での、本発明による組立式折り畳みオーバーヘッドドアユニットの実施形態が模式的に、斜視図で示されている。組立式折り畳みオーバーヘッドドアユニット１は、一対の対向し、垂直に配置されたサイド支持案内手段２、３（ここでは、左支持案内手段２と、右支持案内手段３とも呼ぶ）とを含み、サイド支持案内手段２、３は、サイド支持案内手段２、３の間で、壁４Ａにおけるドア開口部４を規定する。組立式折り畳みオーバーヘッドドアユニット１は、更に、複数の長方形のパネル６、７、８、９、１０、１０´を含むドア部材５を含み、長方形のパネル６―１０´は、前記ドア開口部４を閉じるためにパネル６―１０´が同一平面上で直立して整列した、図１Ａに示される閉位置から、前記ドア開口部４を通してのアクセスを可能とするアクセス位置までの、前記支持案内手段２、３に沿った折り畳みの上下移動に適している。アクセス位置では、パネル６―１０´は全て、組立式折り畳みオーバーヘッドドアユニット１の上部で水平位置に折り畳まれており、水平に１つが他の上部に積み重ねられている（図２Ａでは、全てのパネルではないが、パネル６、７、８で示される）。図では、より明確にドア開口部４を示すために、パネル６―９、１０´は、ドア開口部４の幅にわたって部分的にのみ広がって示されているが、実際は、閉位置で、パネル６―１０´がサイド支持案内手段２、３の対向する第１溝１１の間に広がるように、パネル１０で示されているように、パネル６―９、１０´は、ドア開口部４の幅にわたって完全に広がる幅を有することは明らかである。同じ理由で、より明確に図でドアユニット１の構成要素を示すために、他の図で、ドアパネルは、幅を減じて示されている。
【００１６】
左支持案内手段２の図１Ｂに示されるように、左支持案内手段２は、並んで配置された第１溝１１と第２溝１２とを含む。第１溝１１は、ドア開口部４の高さに垂直に伸びる第１溝主要部１１Ａを有する。第２溝１２は、垂直に伸びる第２溝主要部１２Ａと、組立式折り畳みオーバーヘッドドアユニット１の上部の、第２溝湾曲部１２Ｂとを有する。第２溝湾曲部１２Ｂは、第２溝主要部１２Ａに接続している。第２溝１２は、更に、第２溝湾曲部１２Ｂに接続された、水平に伸びる第２溝端部１２Ｃを有する。図１Ａに見られるように、第２溝１２は、少なくともおおむねドア開口部４の高さに伸びる。右支持案内手段３が同様に構成されることは明らかであるが、左支持案内手段２に関して鏡映である。
【００１７】
図２に示されるように、ドア部材５の各々のパネル６―１０´は、上部の水平エッジ６Ａ―１０´Ａと、下部の水平エッジ６Ｂ―１０´Ｂと、２つの側部エッジとを有し、側部エッジのうち左側の側部エッジ（すなわち、左支持案内手段２に近い方）は、文字Ｃで示され（図２Ａでは６Ｃのみ示される）、右側の側部エッジ（すなわち、右支持案内手段３に近い方）は、文字Ｄで示される（図２Ａでは６Ｄのみ示される）。
【００１８】
ドア部材５は、更に、パネル６―１０´のうち隣接したパネルの水平エッジをアコーディオンのように一緒に接続する複数の水平ヒンジ手段１３を含む。各々のヒンジ手段１３は、それぞれ水平ヒンジ軸１３Ａを規定する。
【００１９】
図１Ａに示される組立式折り畳みオーバーヘッドドアユニット１の実施形態では、複数のパネルは、少なくとも、第１パネル６と、それぞれの水平ヒンジ手段１３によって第１パネル６に接続された第２パネル７とを含む。ドア部材５は、更に、それぞれの水平ヒンジ手段１３によって第２パネル７に接続された第３パネル８と、それぞれの水平ヒンジ手段１３によって第３パネル８に接続された第４パネル９とを含む。ドア部材５は、なお更に、それぞれの水平ヒンジ手段１３によって第４パネル９に接続された第５パネル１０と、それぞれの水平ヒンジ手段１３によって第５パネル１０に接続された第６パネル１０´とを含む。他の実施形態では、パネルの数は違っていても良いことは明らかである。
【００２０】
図３Ａと図３Ｂに示されるように、第１パネル６は、図１Ａで示される各々の第２溝１２の中へ第１パネル６から離れて伸びる第１案内ピン１４を、側部エッジ６Ｃ（図では１つだけ示される）の各々の上方近くに備える。示される実施形態では、第１案内ピン１４は、第１パネル６に固定された三角形のプレート上に配置され、前記三角形のプレートは、望ましくは、サイドプレート３０と一体的に形成される。
【００２１】
第２パネル７は、第２パネル７のサイドプレート１５（図５にも示される）を、側部エッジの各々に備える。第２パネル７の各々のサイドプレート１５は、第２パネル７の側部エッジ７Ｃのそれぞれに固定的に接続され、第２パネル７に沿って、側部エッジ７Ｃの方向と平行な方向に伸びる。第２パネル７の各々のサイドプレート１５は、第２パネルの側部エッジ７Ｃの範囲を超えて伸びるサイドプレート上方第１端１５Ａと、サイドプレート対向第２端１５Ｂとを有する。各々のサイドプレート上方第１端１５Ａは、第２パネル７のサイドプレート１５から離れる方向に伸びる水平なサイドプレート・ヒンジピン１６を備える。各々のサイドプレート対向第２端１５Ｂは、サイドプレート案内ピン１７を備える。サイドプレート・ヒンジピン１６（図５参照）は、第１パネル６と第２パネル７とを接続している、それぞれのヒンジ手段の水平ヒンジ軸１３Ａと少なくともおおむね同軸のサイドプレート・ヒンジピン軸１６Ａを規定する。
【００２２】
たとえば図３Ａと図３Ｂに示されるように、第２パネル７は、更に、第２パネル７の側部エッジの各々に、第２パネルの案内プレート１８を備える。案内プレート１８は、図６Ａと図６Ｂにも示されている。第２パネルの案内プレート１８の各々は、案内プレート上端１８Ａと、対向する案内プレート下端１８Ｂとを有する。各々の案内プレート上端１８Ａは、第２パネル７の案内プレート１８から離れる方向に、第１溝１１の中へと伸びる第２案内ピン１９（図１Ａに示されるように）を備える。各々の案内プレート下端１８Ｂは、第３案内ピン軸２０Ａを規定し、第２パネル７の案内プレート１８から離れる方向に、第２溝１２の中へと伸びる第３案内ピン２０（第２パネルについては示されないが、後述されるように、構成が第２パネルと同じである第４パネルについて、図２Ｂに示されている）を備える。図３Ａに示されるように、第２パネル７のサイドプレート１５のサイドプレート・ヒンジピン１６は、案内プレート上端１８Ａにヒンジ的に接続されており、特に、案内プレート上端１８Ａのスリーブ２１の中へ伸びる。
【００２３】
ドア部材５は、更に、第１パネル６と第２パネル７との各々の側部に、図７Ａと図７Ｂにも示される、折り畳み動作制御部材２２を含む。各々の折り畳み動作制御部材２２は、第1パネル６のそれぞれの側部エッジ６Ｃにヒンジ的に接続された、折り畳み動作制御部材上端２２Ａと、折り畳み動作制御部材ヒンジ軸２２Ｃ（例えば、第３パネルと第４パネルに関する図４Ａを参照。後述されるように、第４パネルの構成は第２パネルの構成と同じである）の周囲で、各々の案内プレート下端１８Ｂにヒンジ的に接続された、折り畳み動作制御部材下端２２Ｂとを有する。各々の折り畳み動作制御部材２２は、更に、第２パネル７のサイドプレート１５のサイドプレート案内ピン１７のそれぞれが中へ伸びる、折り畳み動作案内溝２２Ｄを含む。折り畳み動作案内溝２２Ｄは、少なくとも部分的に、第２パネル７のサイドプレート１５のそれぞれのサイドプレート案内ピン１７と、第1パネル６と第２パネル７とを接続するそれぞれのヒンジ手段１３の水平ヒンジ軸１３Ａとの間の距離と等しい半径を有する円形部分を有する。他の実施形態においては、互いに関して角の下に位置する一連の短い直線部分によって、折り畳み動作案内溝が形成しうることができる点に留意してほしい。図４Ａの実施形態で見られるように、折り畳み動作案内溝２２Ｄは、折り畳み動作案内溝２２Ｄの端から端までのうち主要部分にわたって、それぞれのサイドプレート案内ピン１７を囲んで、ドア部材が閉位置にあるときの、ロック機能をドア部材に提供する。折り畳み動作の間、適切な支持を提供するために、折り畳み動作案内溝は、溝を通ってサイドプレート案内ピン１７が動く全ての行路にわたって、それぞれのサイドプレート案内ピン１７を囲む必要がない点に留意してほしい。なぜなら、折り畳みの間、特定の瞬間に、それぞれのサイドプレート１５のそれぞれのサイドプレート上方端１５Ａが支持スロット４０、４１、４２により支持されるからである。
【００２４】
ここで、本発明による組立式折り畳みオーバーヘッドドアユニットのドア部材を、閉位置からアクセス位置まで折り畳む第１ステップを模式的に示す図９Ａ〜図９Ｅを参照する。ドア部材５は、ロックばね５０を備える。図９Ａでは、ドア部材５は、全てのパネル６−９が垂直に位置する閉位置にある。第２案内ピン１９は、サイドプレート１５に備えられた第２案内ピン・スロット５１内に可動に配置される。ロックばね５０は、サイドプレート１５に固定して取り付けられた一端と、サイドプレート１５の上端に、示された実施形態では第２案内ピン１９に取り付けられた他端と、を備える。この方法では、サイドプレート案内ピン１７がロック位置に留まるように、ロックばね５０は、案内プレート下端１８Ｂを下向きに押す。図９Ｂでは、ドア部材５が上向きに動かされて、パネル６が水平位置に折り畳まれ始める。ロックばね５０により、他のものの中で、他のパネル７−９が垂直のままであることに留意してほしい。上方のパネル６が水平位置にあるとき（図９Ｃと、詳細には図９ＣＡ及び図９ＣＢに示される）も、ロックばね５０は、サイドプレート案内ピン１７をロック位置に留める。ドア部材５が更に上向きに動かされたとき（図９Ｄ）、ロックばね５０は、押されて短くなり（図９ＤＣ）、その結果、サイドプレート案内ピン１７が解放されるように（図９ＤＤ）ロックばね５０が押されて、折り畳みが継続できる（図９Ｅ）。折り畳み動作制御部材２２は、更に、正確な折り畳みを保証する点に留意してほしい。サイドプレート案内ピン１７を、望ましい方向に、より正しく持ち上げて案内するために、少なくとも１つの折り畳み動作案内溝２２Ｄは、折り畳み動作制御部材下端２２Ｂ近くの端に、ドア部材５が閉位置の際のそれぞれのサイドプレート案内ピン１７を受け止めロックするためのワイドニング５２を含む。案内面５３も、このために備えられうる。
【００２５】
図４には、整列する（閉）位置での、図１Ａの組立式折り畳みオーバーヘッドドアユニット１の第３パネル８と第４パネル９が斜視図で示されている。第３パネル８と第４パネル９の構成は、それぞれ、第１パネル６と第２パネル７の構成と基本的に同じである。異なるのは、第１パネル６の第１案内ピン１７と同等の案内ピンを第３パネル８は備えていないことだけである。その代わり、第３パネル８は、それぞれのヒンジ手段１３によって第２パネルにヒンジ的に接続されている。これについての第３パネルと第４パネルの説明に関しては、第１パネル６と第２パネル７の構成及び相互接続についての、上述された説明を参照する。たとえば、第４パネル９と第３パネル８を接続する第２折り畳み動作制御部材２２は、第２パネル７と第１パネル６を接続する折り畳み動作制御部材２２と同じである。そして、第４パネル９の案内プレートから離れる方向に、第１溝１１の中へと伸びる第４案内ピンは、第２パネル７の案内プレート１８から離れる方向に、第１溝１１の中へと伸びる第２案内ピン１９（図１Ａに示されるように）と同じである。更に、第３案内ピン軸２０Ａを規定し、第２パネル７の案内プレート１８から離れる方向に第２溝内１２に伸びる第３案内ピン２０と同様に、第５パネル１０の案内プレートの各々の案内プレート上端は、第５案内ピン軸を規定し、第４パネル９の案内プレートから離れる方向に第２溝内１２に伸びる第５案内ピンを備える。したがって、第３パネル８と第４パネル９の同じ構成には、第１パネル６と第２パネル７で使用されたのと同じ参照番号が、例えば図３および図４の中で使用されている。同じことが、第５パネル１０と第６パネル１０´の構成及び相互接続についても当てはまる（図１では、第５パネル１０と第６パネル１０´を接続するサイドプレート、案内プレート、折り畳み動作制御部材などは示されていない点に留意してほしい）。以下同様である。
【００２６】
図３と図４に見られるように、案内プレート上端１５Aにヒンジ的に接続されている第２パネル７のサイドプレート１５の、各々のサイドプレート・ヒンジピン１６は、それぞれの第２案内ピン１９と同じ高さに位置する。そして、案内プレート上端１５Ａにヒンジ的に接続されている第４パネル９のサイドプレート１５の、各々のサイドプレート・ヒンジピン１６は、第４案内ピン１９と同じ高さに位置している。
【００２７】
示された実施形態では、第２案内ピン１９と第３案内ピン２０との間の距離は、第２パネル７の鉛直高さの５０％から７０％まで、望ましくは第２パネル７の鉛直高さの約６０％であって、同じことが第４パネル９の構成にも当てはまる。
【００２８】
示された実施形態では、各々の折り畳み動作制御部材上端２２Ａは、スライドピン３２を含み、第１パネル６、第３パネル８、第５パネル１０の各々の側部エッジは、縦スロット３１を備える。望ましくは、縦スロット３１は、第１サイドプレート３０または第３サイドプレート３０または第５サイドプレート３０にそれぞれ備えられて（図８も参照）、サイドプレート３０が、それぞれのパネルのそれぞれの側部エッジに取り付けられる。この縦スロット３１の中へ、それぞれのスライドピン３２が伸びて、閉位置からアクセス位置まで（逆も同じ）のパネルの折り畳み動作を制御する助けとなるよう、案内される。
【００２９】
図１Ｂに示されるように、一対の対向し、垂直に配置されたサイド支持案内手段２、３は、支持部材、示された実施形態では支持スロット４０、４１、４２（他の実施形態では、支持びょうを代わりに使用できる）を含む。これらの支持スロット４０、４１、４２では、それぞれのパネルのそれぞれの側部エッジの範囲を超えて伸びる、それぞれのサイドプレート１５のそれぞれのサイドプレート上方端１５Ａは、それぞれのパネルの水平位置、すなわちドア部材のアクセス位置において伸びる。たとえば図５Ｂに示されるように、サイドプレート上方端１５Ａは、サイドプレート上方端１５Ａを支持スロット４０、４１、４２の中へ導く助けをするよう、第１傾斜面１５Ｅを有する。
【００３０】
（付記１）
組立式折り畳みオーバーヘッドドアユニットであって、
一対の対向し、垂直に配置され、その間でドア開口部を規定するサイド支持案内手段を含み、
各々の前記サイド支持案内手段は、並んで配置された第１溝と第２溝とを含み、
前記第１溝は、ドア開口部の高さに垂直に伸びる第１溝主要部を有し、
前記第２溝は、垂直に伸びる第２溝主要部と、前記組立式折り畳みオーバーヘッドドアユニットの上部の第２溝湾曲部とを有し、
前記第２溝湾曲部は、前記第２溝主要部に接続しており、
前記組立式折り畳みオーバーヘッドドアユニットは、複数のパネルを含むドア部材を含み、
前記パネルは、前記ドア開口部を閉じるために前記パネルが同一平面上で直立して整列した閉位置から、前記パネルが前記組立式折り畳みオーバーヘッドドアユニットの上部で水平位置に折り畳まれて水平に１つが他の上部に積み重ねられる、前記ドア開口部を通してのアクセスを可能とするアクセス位置までの、前記サイド支持案内手段に沿った折り畳みの上下移動に適した長方形パネルであって、
各々の前記パネルは、上部の水平エッジと、下部の水平エッジと、２つの側部エッジとを有し、
前記ドア部材は、更に、前記複数のパネルのうち隣接したパネルの前記水平エッジをアコーディオンのように一緒に接続する複数の水平なヒンジ手段を含み、
各々の前記ヒンジ手段は、水平ヒンジ軸を規定し、
前記パネルは、前記閉位置では、対向する前記サイド支持案内手段の前記第１溝の間で広がり、
前記複数のパネルは、少なくとも、第１パネルと、前記第１パネルに前記水平なヒンジ手段によって接続された第２パネルとを含み、
前記第２溝は、更に、前記第２溝湾曲部に接続された、水平に伸びる第２溝端部を有し、
前記第２溝は、少なくともおおむね前記ドア開口部の高さに伸び、
前記第１パネルは、前記第１パネルの各々の前記側部エッジの上部近傍に、前記第１パネルから離れてそれぞれの前記第２溝の中へ伸びている第１案内ピンのような、前記サイド支持案内手段で前記第１パネルを案内し支持するための装置を備え、
前記案内し支持するための装置は、更に、前記ドア部材の下方のパネルの折り畳み動作を開始する操作のために配置されており、
前記第２パネルは、前記第２パネルの前記側部エッジの各々に、前記第２パネルのサイドプレートを備え、
前記第２パネルの各々の前記サイドプレートは、前記第２パネルのそれぞれの前記側部エッジに固定的に接続され、前記第２パネルの前記側部エッジの方向に平行な方向に伸び、
前記第２パネルの各々の前記サイドプレートは、前記第２パネルの前記側部エッジの範囲を超えて伸びるサイドプレート上方第１端と、サイドプレート対向第２端とを有し、
各々の前記サイドプレート上方第１端は、前記第２パネルの前記サイドプレートから離れる方向に伸びる水平なサイドプレート・ヒンジピンを備え、
各々の前記サイドプレート対向第２端は、サイドプレート案内ピンを備え、
前記サイドプレート・ヒンジピンは、前記第１パネルと前記第２パネルとを接続している前記ヒンジ手段の前記水平ヒンジ軸と少なくともおおむね同軸のサイドプレート・ヒンジピン軸を規定し、
前記第２パネルは、更に、前記第２パネルの側部エッジの各々に、前記第２パネルの案内プレートを備え、
前記第２パネルの各々の前記案内プレートは、案内プレート上端と、対向する案内プレート下端とを有し、
各々の前記案内プレート上端は、前記第２パネルの前記案内プレートから離れる方向に前記第１溝の中へ伸びる第２案内ピンを備え、
各々の前記案内プレート下端は、前記第２パネルの前記案内プレートから離れる方向に前記第２溝の中へ伸び、かつ第３案内ピン軸を規定する第３案内ピンを備え、
前記第２パネルの前記サイドプレートの前記サイドプレート・ヒンジピンは、前記案内プレート上端にヒンジ的に接続されており、
前記ドア部材は、更に、前記第１パネルと前記第２パネルとの各々の側部に、折り畳み動作制御部材を含み、
各々の前記折り畳み動作制御部材は、
前記第１パネルのそれぞれの前記側部エッジにヒンジ的に接続された、折り畳み動作制御部材上端と、
折り畳み動作制御部材ヒンジ軸の周囲で、それぞれの前記案内プレート下端にヒンジ的に接続された、折り畳み動作制御部材下端と、
を有し、
各々の前記折り畳み動作制御部材は、更に、折り畳み動作案内溝を含み、
前記第２パネルの前記サイドプレートのそれぞれの前記サイドプレート案内ピンは、前記折り畳み動作案内溝の中へ伸びる、
組立式折り畳みオーバーヘッドドアユニット。
【００３１】
（付記２）
前記折り畳み動作案内溝は、少なくとも部分的に、前記第２パネルの前記サイドプレートのそれぞれの前記サイドプレート案内ピンと、前記第１パネルと前記第２パネルを接続するそれぞれの前記ヒンジ手段の前記水平ヒンジ軸との間の距離と等しい半径の円形部分を有する付記１に記載の組立式折り畳みオーバーヘッドドアユニット。
【００３２】
（付記３）
前記ドア部材は、更に、前記水平なヒンジ手段によって前記第２パネルに接続された第３パネルと、前記水平なヒンジ手段によって前記第３パネルに接続された第４パネルとを含み、
前記第４パネルは、前記第４パネルの側部エッジの各々に、前記第４パネルのサイドプレートを備え、
前記第４パネルの各々の前記サイドプレートは、前記第４パネルのそれぞれの前記側部エッジに固定的に接続され、前記第４パネルの前記側部エッジの方向と平行な方向に伸びており、
前記第４パネルの各々の前記サイドプレートは、前記第４パネルの前記側部エッジの範囲を超えて伸びるサイドプレート上方第１端と、サイドプレート対向第２端とを有し、
各々の前記サイドプレート上方第１端は、前記第４パネルの前記サイドプレートから離れる方向に伸びる水平なサイドプレート・ヒンジピンを備え、
各々の前記サイドプレート対向第２端は、サイドプレート案内ピンを備え、
前記サイドプレート・ヒンジピンは、前記第３パネルと前記第４パネルとを接続している前記ヒンジ手段の前記水平ヒンジ軸と少なくともおおむね同軸のサイドプレート・ヒンジピン軸を規定し、
前記第４パネルは、更に、前記第４パネルの前記側部エッジの各々に、前記第４パネルの案内プレートを備え、
前記第４パネルの各々の前記案内プレートは、案内プレート上端と、対向する案内プレート下端とを有し、
各々の前記案内プレート上端は、前記第４パネルの前記案内プレートから離れる方向に前記第１溝の中へ伸びる第４案内ピンを備え、
各々の前記案内プレート下端は、前記第４パネルの前記案内プレートから離れる方向に前記第２溝の中へ伸び、かつ第５案内ピン軸を規定する第５案内ピンを備え、
前記第４パネルの前記サイドプレートの前記サイドプレート・ヒンジピンは、前記案内プレート上端にヒンジ的に接続されており、
前記ドア部材は、更に、前記第３パネルと前記第４パネルとの各々の側部に、第２折り畳み動作制御部材を含み、
各々の前記第２折り畳み動作制御部材は、
前記第３パネルのそれぞれの側部エッジにヒンジ的に接続された、第２折り畳み動作制御部材上端と、
第２折り畳み動作制御部材ヒンジ軸の周囲で、それぞれの前記案内プレート下端にヒンジ的に接続された、第２折り畳み動作制御部材下端と、
を有し、
各々の前記第２折り畳み動作制御部材は、更に、第２折り畳み動作案内溝を含み、
前記第４パネルの前記サイドプレートのそれぞれの前記サイドプレート案内ピンは、前記第２折り畳み動作案内溝の中へ伸びる、
付記１または２に記載の組立式折り畳みオーバーヘッドドアユニット。
【００３３】
（付記４）
前記第２折り畳み動作案内溝は、少なくとも部分的に、前記第４パネルの前記サイドプレートのそれぞれの前記サイドプレート案内ピンと、前記第３パネルと前記第４パネルを接続するそれぞれの前記ヒンジ手段の前記水平ヒンジ軸との間の距離と等しい半径の円形部分を有する付記１に記載の組立式折り畳みオーバーヘッドドアユニット。
【００３４】
（付記５）
前記案内プレート上端にヒンジ的に接続されている、前記第２パネルの前記サイドプレートの各々のサイドプレート・ヒンジピンは、それぞれの前記第２案内ピンと同じ高さに位置し、
前記案内プレート上端にヒンジ的に接続されている、前記第４パネルの前記サイドプレートの各々のサイドプレート・ヒンジピンは、前記第４案内ピンと同じ高さに位置している、
付記３または４に記載の組立式折り畳みオーバーヘッドドアユニット。
【００３５】
（付記６）
前記第２案内ピンと前記第３案内ピンとの間の距離は、前記第２パネルの鉛直高さの５０％から７０％まで、望ましくは第２パネルの鉛直高さの約６０％であって、
前記第４案内ピンと前記第５案内ピンとの間の距離は、前記第４パネルの鉛直高さの５０％から７０％まで、望ましくは前記第４パネルの鉛直高さの約６０％である、
付記３または４または５に記載の組立式折り畳みオーバーヘッドドアユニット。
【００３６】
（付記７）
各々の前記折り畳み動作制御部材上端は、スライドピンを含み、
前記第１パネルの各々の前記側部エッジは、縦スロットを備え、
それぞれの前記スライドピンは、前記縦スロットの中へ伸びる、
付記１ないし６のいずれか一つに記載の組立式折り畳みオーバーヘッドドアユニット。
【００３７】
（付記８）
各々の前記第２折り畳み動作制御部材上端は、第２スライドピンを含み、
前記第３パネルの各々の前記側部エッジは、第２縦スロットを備え、
それぞれの前記第２スライドピンは、前記第２縦スロットの中へ伸びる、
付記３または付記３に従属する場合の付記４ないし７のいずれか一つに記載の組立式折り畳みオーバーヘッドドアユニット。
【００３８】
（付記９）
各々の前記縦スロットは、前記第１パネルのそれぞれの前記側部エッジに取り付けられた第１パネル・サイドプレートに備えられる付記７に記載の組立式折り畳みオーバーヘッドドアユニット。
【００３９】
（付記１０）
各々の前記第２縦スロットは、前記第３パネルのそれぞれの前記側部エッジに取り付けられた第３パネル・サイドプレートに備えられる付記８に記載の組立式折り畳みオーバーヘッドドアユニット。
【００４０】
（付記１１）
一対の対向し、垂直に配置されたサイド支持案内手段は、支持びょう又は支持スロットのような支持部材を含み、
前記第２パネルの前記側部エッジの前記範囲を超えて伸びる、前記第２パネルの各々の前記サイドプレート上方第１端は、第１傾斜面を有し、
及び／又は、前記第４パネルの前記側部エッジの前記範囲を超えて伸びる、前記第４パネルの各々の前記サイドプレート上方第１端は、第２傾斜面を有し、
前記第１傾斜面と前記第２傾斜面の各々は、前記ドア部材の前記アクセス位置で、それぞれの前記支持部材により支持される、
付記１ないし１０のいずれか一つに記載の組立式折り畳みオーバーヘッドドアユニット。
【００４１】
（付記１２）
前記第１案内ピンと前記第２案内ピンと前記第３案内ピンと前記第４案内ピンと前記第５案内ピンのうち少なくとも１つが、その端に、円盤形拡張部、望ましくはローラーを備える付記１ないし１１のいずれか一つに記載の組立式折り畳みオーバーヘッドドアユニット。
【００４２】
（付記１３）
前記第２案内ピンは、前記サイドプレートに備えられる第２案内ピン・スロット内に可動に配置され、
ロックばねの一端は前記サイドプレートに固定的に取り付けられ、前記ロックばねの他端は前記案内プレートの前記上端、特に前記第２案内ピンに取り付けられる、
付記１ないし１２のいずれか一つに記載の組立式折り畳みオーバーヘッドドアユニット。
【００４３】
（付記１４）
少なくとも１つの前記折り畳み動作案内溝は、前記ドア部材の前記閉位置で、それぞれのサイドプレート案内ピンを受けてロックするために、折り畳み動作制御部材下端近くの端にワイドニングを含む及び／または案内面を含む付記１３に記載の組立式折り畳みオーバーヘッドドアユニット。
【００４４】
（付記１５）
組立式折り畳みオーバーヘッドドアユニットであって、
一対の対向し、垂直に配置され、その間でドア開口部を規定するサイド支持案内手段を含み、
各々の前記サイド支持案内手段は、並んで配置された第１溝と第２溝とを含み、
前記組立式折り畳みオーバーヘッドドアユニットは、前記サイド支持案内手段に沿った折り畳みの上下移動に適した、長方形の第１パネルと長方形の第２パネルと長方形の第３パネルと長方形の第４パネルとを含むドア部材を含み、
前記ドア部材は、更に、前記第１パネルと前記第２パネルの各々の側部に折り畳み動作制御部材を含み、
各々の前記折り畳み動作制御部材は、
前記第１パネルと前記第３パネルのそれぞれに、それぞれの前記側部エッジにヒンジ的に接続された、折り畳み動作制御部材上端と、
折り畳み動作制御部材ヒンジ軸の周囲で、それぞれの前記案内プレート下端にヒンジ的に接続された、折り畳み動作制御部材下端と、
を有し、
各々の前記折り畳み動作制御部材は、更に、折り畳み動作案内溝を含み、
前記第２パネルに取り付けられたサイドプレートのそれぞれの前記サイドプレート案内ピンは、前記折り畳み動作案内溝の中へ伸び、
望ましくは、前記折り畳み動作案内溝は、少なくとも部分的に、前記第２パネルの前記サイドプレートのそれぞれの前記サイドプレート案内ピンと、前記第１パネルと前記第２パネルを接続するそれぞれの前記ヒンジ手段の前記水平ヒンジ軸との間の距離と等しい半径の円形部分を有する、
組立式折り畳みオーバーヘッドドアユニット。
【図１Ａ】
2019525043.tif 000003
【図１Ｂ】
2019525043.tif 000004
【図２Ａ】
2019525043.tif 000005
【図２Ｂ】
2019525043.tif 000006
【図２Ｃ】
2019525043.tif 000007
【図３Ａ】
2019525043.tif 000008
【図３Ｂ】
2019525043.tif 000009
【図４Ａ】
2019525043.tif 000010
【図４Ｂ】
2019525043.tif 000011
【図４Ｃ】
2019525043.tif 000012
【図４Ｄ】
2019525043.tif 000013
【図５Ａ】
2019525043.tif 000014
【図５Ｂ】
2019525043.tif 000015
【図６Ａ】
2019525043.tif 000016
【図６Ｂ】
2019525043.tif 000017
【図７Ａ】
2019525043.tif 000018
【図７Ｂ】
2019525043.tif 000019
【図８】
2019525043.tif 000020
【図９Ａ】
2019525043.tif 000021
【図９Ｂ】
2019525043.tif 000022
【図９Ｃ−９ＣＢ】
2019525043.tif 000023
【図９Ｄ−９ＤＤ】
2019525043.tif 000024
【図９Ｅ】
2019525043.tif 000025
【国際調査報告】
2019525043.tif 000026
2019525043.tif 000027